(57)【要約】【課題】加工物を通って整列した穴にかみ合わされる締結具を開示する。【解決手段】締結具は、滑らかな円筒状軸部からねじ部へ広がるように半径方向に直径が減少する移行部を有するピン部材を備える。締結具は、スリーブ部材および取り付け手段も具える。取り付け手段は、カラー、ナット、または他の可能な取り付け手段を備える。一実施例において、加工物は複数個の材料で形成でき、材料には、複合材料、金属、金属／複合材料構造、またはそれらの組み合わせが含まれる。特定の実施例において、締結具は、複合材料の層間剥離または破壊の危険性なしに、複合材料構造中へ０．０１２７〜０．２５４ｍｍ（０．０００５〜０．０１００インチ）の干渉性能を有する。締結具干渉の結果、締結具と、構造との間の隙間は取り除かれ、構成部材間の良好な電気伝導性がもたらされる。その結果、電気火花発生の可能性は減り、航空宇宙用に使用される安全な締結具がもたらされる。【選択図】図１
2008075876.tif 000002
【特許請求の範囲】
【請求項１】
二つ以上の加工物を通る穴に配置されるように構成された締結具であって、
拡大されたピン頭部と、外径を有する滑らかな円筒状軸部と、前記滑らかな円筒状軸部と前記ねじ部とを結合するテーパー状の移行部とを有するピン部材を具え、
前記テーパー状の移行部が２０度以下の角度である、締結具。
【請求項２】
請求項１に記載の締結具であって、
前記滑らかな円筒状軸部に嵌装された、整列された前記穴の深さ以上の長さを有するスリーブを具え、
前記スリーブは、一端部に拡大頭部を有するとともに、前記ピン部材の前記滑らかな円筒状軸部の外径より小さい内径と、前記整列された孔の直径より小さい外径とを有する管状部を有し、
前記スリーブは、前記ピン部材の前記滑らかな円筒状軸部が前記整列された穴に入る際に半径方向に拡大しており、
前記整列された穴の中に前記ピン部材を完全に引き込み、前記滑らかな円筒状軸部が前記スリーブを前記加工物と締まりばめするまで拡大するために要求される最大軸方向負荷と少なくとも等しい軸方向強度を有する折り首溝を具える、締結具。
【請求項３】
請求項２に記載の締結具であって、
前記スリーブの伸びの量を低減するため、前記スリーブの内面と前記ピン部材の前記滑らかな円筒状軸部との間の摩擦係数が、前記スリーブの外面と前記穴の内径との間との摩擦係数より小さく、
前記滑らかな円筒状軸部が、前記スリーブを前記加工物と約０．０１２７〜０．２５４ｍｍ締まりばめするまで拡大するのを可能にする、締結具。
【請求項４】
請求項１に記載の締結具であって、
前記ねじ部に嵌装される管状カラー部材を更に具え、
前記管状カラー部材は、一端部に環状のフランジ部を有するとともに、前記ピンの前記ねじ部にすえ込みされるように構成されたカラー軸部と、前記フランジ部と前記カラー軸部との間の拡大された座ぐりとを有し、前記座ぐりは、前記スリーブの外径より大きい内径を有し、
前記ピン部材は、
円周引き溝を備える折れやすい部分と、
前記ねじ部と前記折れやすい部分との間の前記折り首溝とを有し、
前記折り首溝は、前記ピン部材の最も弱い部分であって、事前に定めた荷重で折れるように構成され、
前記折れやすい部分は、前記カラー部材が前記ねじ部にすえ込みされた後に前記折り首溝の位置で前記ピン軸部から折り取ることができる、締結具。
【請求項５】
請求項３に記載の締結具であって、
一端部に環状のフランジ部を有する管状ナット部材を更に具え、
前記管状ナット部材は、
前記ピンの前記ねじ部と螺合するように構成されたねじナット部と、
前記スリーブの外径より大きい内径を有する拡大された座ぐりと、
を有する、締結具。
【請求項６】
請求項３に記載の締結具であって、取り付け後に複数個の加工物との締まりばめが約０．０１２７〜０．２５４ｍｍである、締結具。
【請求項７】
請求項３に記載の締結具であって、前記ピンの前記滑らかな円筒状軸部が前記スリーブに入るときの摩擦の量を低減するために前記スリーブの内面が低摩擦コーティング剤によりコーティングされている、締結具。
【請求項８】
請求項３に記載の締結具であって、取り付けられた締結具に要求される最低引っ張り強度の約５０〜９６％の高い締め付け予荷重を有する、締結具。
【請求項９】
請求項３に記載の締結具であって、取り付けられた前記締結具に要求される最低引っ張り強度の約７８％の平均予荷重を有する、締結具。
【請求項１０】
請求項３に記載の締結具であって、前記締結具が、約３．４５ｍｍのグリップ範囲を有するとともに、約１１０％の最低機械性能を維持する、締結具。
【請求項１１】
請求項３に記載の締結具であって、前記締結具は、シーリング材と共に、またはシーリング材なしに取り付け得る、締結具。
【請求項１２】
請求項３に記載の締結具であって、前記締結具と構造物との間の隙間がなくされて、良好な電気伝導率がもたらされる、締結具。
【請求項１３】
請求項３に記載の締結具であって、前記複数個の加工物の、最低厚みと最大厚みとの間の約３．４５ｍｍの機能的なグリップ性能を有する、締結具。
【請求項１４】
請求項３に記載の締結具であって、前記複数個の加工物が、炭素複合材料、チタン、アルミニウム、またはこれらの混合物を具える、締結具。
【請求項１５】
請求項３に記載の締結具であって、前記ピン部材が突出頭を有する、締結具。
【請求項１６】
請求項３に記載の締結具であって、前記ピン部材が皿頭を有する、締結具。
【請求項１７】
請求項３に記載の締結具であって、前記カラーと前記ピン部材の前記ねじ部との間の隙間が、取り付け中にシーリング材が抜けるのを可能にする、締結具。
【請求項１８】
二つ以上の加工物を通る穴に配置されるように構成された締結具であって、
拡大されたピン頭部と、外径を有する滑らかな軸部と、前記滑らかな軸部と前記ねじ部とを結合する移行部とを有するピン部材を具え、
前記移行部は、０．２５４ｍｍと０．７３７ｍｍとの間の長さを有し、
前記移行部の直径は、前記滑らかな円筒状軸部から前記ねじ部へ延在するにつれて、０．１０２ｍｍと０．１２７ｍｍとの間で半径方向に減少する、締結具。
【請求項１９】
請求項１８に記載の締結具であって、
前記滑らかな円筒状軸部に嵌装された、整列された前記穴の深さ以上の長さを有するスリーブを具え、
前記スリーブは、一端部に拡大頭部を有するとともに、前記ピン部材の前記滑らかな円筒状軸部の外径より小さい内径と、前記整列された孔の直径より小さい外径とを有する管状部を有し、
前記スリーブは、前記ピン部材の前記滑らかな円筒状軸部が前記整列された穴に入る際に半径方向に拡大しており、
前記整列された穴の中に前記ピン部材を完全に引き込み、前記滑らかな円筒状軸部が前記スリーブを前記加工物と締まりばめするまで拡大するために要求される最大軸方向負荷と少なくとも等しい軸方向強度を有する折り首溝を具える、締結具。
【請求項２０】
請求項１９に記載の締結具であって、
前記スリーブの伸びの量を低減するため、前記スリーブの内面と前記ピン部材の前記滑らかな円筒状軸部との間の摩擦係数が、前記スリーブの外面と前記穴の内径との間との摩擦係数より小さく、
前記滑らかな円筒状軸部が、前記スリーブを前記加工物と約０．０１２７〜０．２５４ｍｍ締まりばめするまで拡大するのを可能にする、締結具。
【請求項２１】
請求項２０に記載の締結具であって、
前記ねじ部に嵌装される管状カラー部材を更に具え、
前記管状カラー部材は、一端部に環状のフランジ部を有するとともに、前記ピンの前記ねじ部にすえ込みされるように構成されたカラー軸部と、前記フランジ部と前記カラー軸部との間の拡大された座ぐりとを有し、前記座ぐりは、前記スリーブの外径より大きい内径を有し、
前記ピン部材は、
円周引き溝を備える折れやすい部分と、
前記ねじ部と前記折れやすい部分との間の前記折り首溝とを有し、
前記折り首溝は、前記ピン部材の最も弱い部分であって、事前に定めた荷重で折れるように構成され、
前記折れやすい部分は、前記カラー部材が前記ねじ部にすえ込みされた後に前記折り首溝の位置で前記ピン軸部から折り取ることができる、締結具。
【請求項２２】
請求項２０に記載の締結具であって、
一端部に環状のフランジ部を有する管状ナット部材を更に具え、
前記管状ナット部材は、
前記ピンの前記ねじ部と螺合するように構成されたねじナット部と、
前記スリーブの外径より大きい内径を有する拡大された座ぐりと、
を有する、締結具。
【請求項２３】
請求項２０に記載の締結具であって、取り付け後に複数個の加工物との締まりばめが約０．０１２７〜０．２５４ｍｍである、締結具。
【請求項２４】
請求項２０に記載の締結具であって、前記ピンの前記滑らかな円筒状軸部が前記スリーブに入るときの摩擦の量を低減するために前記スリーブの内面が低摩擦コーティング剤によりコーティングされている、締結具。
【請求項２５】
請求項２０に記載の締結具であって、取り付けられた締結具に要求される最低引っ張り強度の約５０〜９６％の高い締め付け予荷重を有する、締結具。
【請求項２６】
請求項２０に記載の締結具であって、取り付けられた前記締結具に要求される最低引っ張り強度の約７８％の平均予荷重を有する、締結具。
【請求項２７】
請求項２０に記載の締結具であって、前記締結具が、約３．４５ｍｍのグリップ範囲を有するとともに、約１１０％の最低機械性能を維持する、締結具。
【請求項２８】
請求項２０に記載の締結具であって、前記締結具は、シーリング材と共に、またはシーリング材なしに取り付け得る、締結具。
【請求項２９】
請求項２０に記載の締結具であって、前記締結具と構造物との間の隙間がなくされて、良好な電気伝導率がもたらされる、締結具。
【請求項３０】
請求項２０に記載の締結具であって、前記複数個の加工物の、最低厚みと最大厚みとの間の約３．４５ｍｍの機能的なグリップ性能を有する、締結具。
【請求項３１】
請求項２０に記載の締結具であって、前記複数個の加工物が、炭素複合材料、チタン、アルミニウム、またはこれらの混合物を具える、締結具。
【請求項３２】
請求項２０に記載の締結具であって、ピン部材が突出頭を有する、締結具。
【請求項３３】
請求項２０に記載の締結具であって、ピン部材が皿頭を有する、締結具。
【請求項３４】
請求項２０に記載の締結具であって、前記カラーと前記ピン部材の前記ねじ部との間の隙間が、取り付け中にシーリング材が抜けるのを可能にする、締結具。
【発明の詳細な説明】
【技術分野】
【０００１】
本開示は、改善されたねじ部品、および複合材料の加工物（ワークピース）を固定する方法に関するものである。特定の実施形態において、本開示は、ピンと、そのピンの周りに配置され得る、干渉用途に用いられる予形成されたスリーブとを有する締結具に関するものである。
【背景技術】
【０００２】
ますます多くの黒鉛複合材料が、航空機の構造に取り入れられている。黒鉛複合材料の使用は、数ある利益の中でも特に、強度を増大し、寿命を伸ばし、重量を減らし、燃料消費量を減らし、積載量を増大させる。しかしながら、これらの最新材料が活用されるにつれ、典型的な金属構造と比較した場合に、固定技術において新しい挑戦が克服される必要がある。
【０００３】
既存の航空宇宙産業の締結具は、黒鉛または混合黒鉛複合材料金属構造には、干渉状態では安全に取り付けることができなかった。これらの締結具の使用を危険なものとする、複合材料の層間剥離および潜在的な構造欠陥の懸念を避けるために、一般的に、すきまばめ締結具が活用されていた。その結果、締結具は隙間有り穴（クリアランスホール）の中に取り付けられ、動的接合性能の低減、構造中の隙間（ギャップ）、および他の構造的懸念を生じさせていた。
【０００４】
結果として生じる、締結具の軸（シャンク）部分と穴との間の隙間は、構造用部品の均一な接触を阻止する。従って、落雷の電流／エネルギーの安全な消散、および電磁流が大きな懸案事項となる。現在のところ、航空機製造会社は、複雑で、高価で、たまに危険を伴う代替手段に頼って、構造物を適切に接地している。例えば、銅または他の低導電性片が、加工物の表面に組み込まれて、どのような流れに対しても優先的な低抵抗経路をもたらしている。さらに、二つの加工物の間で大電流を導くことができる、導電繊維担体フィルムを含むフィルム接着剤が用いられ得る。しかし、これらの手段は双方とも、電流の安全な消散をもたらすためには非常に高価であり、費用対効果の良い方法ではない。
【０００５】
また、従来の締結具では、多くの航空機構造で要求されるようなかなりの量のシーリング材とともに取り付けることができない。もし、取り付け中に十分な量のシーリング材が用いられれば、締結具構体と加工物との間の摩擦係数が減少し、取り付け性能を妨害する。加えて、従来の締結具には接合部から過剰なシーリング材を流出させる能力が無い。
【０００６】
さらに、従来の、干渉適用のために製造される嵌め合いスリーブを有するピンは、１００％炭素複合材料にだけ取り付けることができる。加えて、これらの締結具は、短い長さおよび小さな径に適用を制限する。従来の締結具は、いずれの複合材料／金属構造にも、そして大部分の１００％複合構造にも取り付けることができない。
【０００７】
加えて、干渉適用のための従来の締結具は、せん断荷重範囲強度容量内で使用できるだけである。通常、これらの締結具に用いられるカラーは、市販されている純チタン製で、極めて低い温度上昇でクリープし易いものである。
【発明の開示】
【発明が解決しようとする課題】
【０００８】
従って、層間剥離および構造欠陥の可能性なしに干渉適用を可能にする締結具を提供する必要がある。
【０００９】
また、種々の異なる用途に用い得る締結具を提供する必要もある。様々な複合材料／金属構造での締結具の活用が求められている。
【００１０】
加えて、落雷および／または静電気に起因する電流の安全な消散をもたらす締結具を提供する必要がある。構造用部品の均一な接触を可能にする締結具は、電流に伴って生ずる問題に対して、必要な消散、および安全でより費用対効果の高い解決策をもたらす。
【課題を解決するための手段】
【００１１】
本開示の一つの態様として、ピンを有する締結具が開示されている。このピン部材は、細長く滑らかな円筒状の軸（シャンク）部と、スリーブと適合するための拡大された頭部（ヘッド）とを有する。いくつかの実施態様においては、スリーブのフレア端部に嵌め合わせるための、皿穴または突き出たヘッドがある。このピン部材はまた、ねじ部および折れやすい部分を、細長く滑らかな円筒状の軸部と軸線方向に整列して有する。折れやすい部分は、ピン部材をスリーブに引き込むための相対軸力を加えるために握れるように構成された円周方向の引き手ねじ溝を備える引き手溝（プルグルーブ）部を有する。このピン部材は、ねじ部分と折れやすい部分との間の、折り首溝を有する。締結具が取り付けられると、折れやすい部分が折り首溝の位置で分離される。
【００１２】
このピンは、滑らかな円筒状の軸部とねじ部との間に、取り付けに起因する高干渉状態のために要求される取り付け力を最小化するように、最適化され、設計された、移行部（ｔｒａｎｓｉｔｉｏｎ  ｐｏｒｔｉｏｎ）を有する。例示的一実施形態において、この移行部はテーパー状にでき、ピンの軸部に対し２０度以下の角度を有し得る。他の実施形態において、この移行部は、滑らかな軸部とねじ部との間で０．２５４ｍｍ〜７．３７ｍｍ（０．０１０〜０．２９０インチ）の距離の間に、０．１０２ｍｍ〜約０．１２７ｍｍ（０．００４〜約０．００５インチ）の間でピンの軸部の半径方向に直径を減少させる。
【００１３】
別の実施形態において、この締結具は、複数の加工物を一体に固定するために、スリーブと、クランプ手段とをさらに備える。このクランプ手段は、カラーもしくはナット部材を備えてもよく、またはピンおよびスリーブで複数の加工物を一体に固定するのに適した他の手段を具えても良い。この締結具は、二つ以上の加工物に配置された互いに整列した複数の穴を通って取り付けられる。いくつかの実施例において、加工物を貫くそれらの穴の一つは、その外側の開口部に皿穴、または導入用放射状部を有する。
【００１４】
滑らかな円筒状の軸部へ嵌装できるように構成されたスリーブは、管状部と、加工物の外面に嵌合するための拡大された端部とを有する。いくつかの実施形態においては、加工物中の皿穴と嵌合するためのフレア端部がある。このスリーブは、整列された穴の位置での、連結される加工物の最大合計厚さより長い全長を有する。このスリーブの管状部は、滑らかな円筒状軸部の直径より小さい内径と、加工物の整列された隙間有り穴にこのスリーブを嵌入し得る大きさの外径とを有する。
【００１５】
一実施形態において、前記ピン部材は、前記スリーブの最大内径より大きい直径を有する滑らかな円筒状軸部を備える。この滑らかな円筒状軸部が、そのスリーブに入り、そしてそのスリーブを通って引かれたとき、スリーブは、半径方向に拡張されて加工物の穴の壁と締まりばめする。
【００１６】
管状カラー部材は、ピン部材のねじ部に嵌装されるよう構成されるとともに、このカラーにスリーブとの隙間を設けることを可能とする座ぐりと、加工物の他方の外面と係合するために一端部に位置する環状のフランジ部とを有している。このカラー部材は、ピンのねじ部にすえ込みされるのに適した均一の外径を有する、拡大円筒状軸部を備える。
【００１７】
他の実施形態においては、ナット部材は、ピン部材のねじ部に嵌合するよう構成されるとともに、このナット部材に前記スリーブとの隙間を設けることを可能とする座ぐりと、加工物の他方の外面と係合するために一端部に位置する環状のフランジ部とを有している。このナット部材は、この締結具を加工物に固定するためにピンのねじ部に螺合されるねじ部を有する。
【００１８】
他の形態において、スリーブ部材は、ピンの滑らかな円筒状軸部がスリーブに入るときに摩擦を減らすように内周面に潤滑剤を備える。このスリーブの外周面および／または前記整列された穴の内周面は、粗い表面を有する。特定の実施形態において、スリーブの内面とピン部材の滑らかな円筒状軸部との間の摩擦係数は、スリーブの外面と穴の内面との間の摩擦係数より小さく、スリーブが締まりばめになるためにピン部材の滑らかな円筒状軸部の挿入時に半径方向に拡張されるのを可能にする。
【００１９】
更に別の形態において、複合材料、金属、または複合材料／金属構造に取り付けられる能力を有する締結具が開示される。例えば、開示された締結具は、炭素複合材料、チタン、アルミニウム、またはそれらの混合物等に取り付けることができる。
【００２０】
他の態様において、この締結具の干渉の結果、締結具と構造物との間の隙間は除かれ、構成部材間の良好な電気伝導率がもたらされる。その結果として、電気火花の発生の可能性が減り、航空宇宙用に使用される安全な締結具をもたらす。
【００２１】
別の態様において、この締結具は、複合材料の層間剥離または損傷の危険性なく、複合材料および／または金属構造に０．０１２７〜０．２５４ｍｍ（０．０００５〜０．０１００インチ）干渉する能力を有する。
【００２２】
追加の本開示の態様において、この締結具は、約１．５７〜約３．５６ｍｍ（約０．０６２〜約０．１４０インチ）の機能的なグリップ性能を有する。
【００２３】
本開示の、他の目的、特徴、および利点は、添付の図面と合わせて理解され、後述の記載および添付の特許請求の範囲から明らかになる。
【発明を実施するための最良の形態】
【００２４】
前述の、本開示の態様および利点は、添付の図面と合わせて後述の詳細な説明を参照することで、より容易に理解され、明らかになるであろう。
【００２５】
複数個の加工物１０５、１１０を一体に固定するための、加工物の整列した穴１２５、１３０に配置されるように構成された締結具が開示されている。一実施例において、締結具１０は、ピン部材１５と、スリーブ部材２０と、カラー２００とを具える。他の実施例において、締結具は、カラーの代わりにナットを具え得る。一実施例において、加工物１０５、１１０は複数の材料で形成され、材料には複合材料、金属、もしくは複合材料／金属構造、またはそれらの任意の組み合わせが含まれる。特定の実施例において、加工物１０５、１１０は、チタン、アルミニウム、炭素複合材料、またはそれらの任意の組み合わせで構成し得る。
【００２６】
図１および図２は、ピンおよびスリーブ構体１２の一実施例を示す。ピン部材１５は、拡大された皿頭３７または突出頭（プロトルーディングヘッド）３５を備え、一端部３０で終わる細長い軸部４０を有する。ピン軸部４０は、十分に滑らかな円筒状部４５と、ねじ部５０と、折れやすい部分６０とを有する。滑らかな円筒状軸部は、ヘッド３５、３７から延在し、そして、拡大スリーブ２０により支持されるように構成されている。滑らかな円筒状軸部４５には、ねじ部５０が続いて存在する。ねじ部５０は、その長さ全体にわたり略均一にねじが付けられている。テーパー状の移行部５５は、ねじ部５０と滑らかな円筒状軸部４５とを滑らかに結合する。
【００２７】
ねじ部５０からピン部材１５の折れやすい部分６０が延在する。折れやすい部分６０は、円筒状のランド７０と、円周に引かれた溝７５からなる引き溝部７５とを有する。折り首溝６５は、ねじ部５０に隣接して位置し、締結具１０の最も弱い部分を規定する。
【００２８】
いくつかの実施例において、ねじ部５０と、折り首溝６５と、一直線のランド７０と、引き溝部７５とは、最大でも軸部の滑らかな円筒状部４５の直径より小さい直径を有し、そして一直線のランド７０は、ねじ部５０および引き溝部７５より小さい直径を有する。
【００２９】
本実施例において、拡大スリーブ部材２０は、ピン部材１５の、皿頭３７または突出頭３５を支持するための拡大されたフランジ形状のヘッド８５で終わる、略均一の管状部８０を有する。スリーブ２０は、ピン１５のねじ部５０および折れやすい部分６０より大きく、滑らかな円筒状軸部４５より小さい内径を有する。
【００３０】
スリーブ部材２０の内径は、ピン部材１５の挿し込み時にピン部材１５がスリーブ２０に入る動きを容易にするために、その表面９０に低摩擦コーティングを有する。特定の実施例において、スリーブ部材２０は、ピン部材１５の滑らかな円筒状軸部４５と、スリーブ管状部８０の内面９０との間の抵抗を取り除くため、低摩擦コーティング剤でコーティングされる。スリーブの内面の低摩擦コーティング剤は、摩擦負荷を減らすことにより、ピン部材１５がスリーブ部材２０を滑らかに通り抜けることを容易にする。
【００３１】
加えて、内面９０のコーティングは、締結具上および挿し込まれたジョイント内に、最小限の、適度な、または大量のシーリング材を有して締結具が挿し込まれた場合でも、締結具を機能するように挿し込むことを可能にする。
【００３２】
図３および図４は、締結具の他の実施例を示す。この実施例において、ピン部材１５は、拡大ヘッド３５、３７と一体に形成されて一端部３０で終わる、細長い軸部４０を備える。この実施例においても、図２の実施例に示されるような突出頭３７を有し得る。ピン軸部４０は、十分に滑らかな円筒状部４５と、ねじ部５０とを備えるが、折れやすい部分を有さない。滑らかな円筒状軸部は、ヘッド３５、３７から延在して拡大スリーブ２０により支持されるよう構成されている。十分に滑らかな円筒状軸部４５には、ねじ部５０が続いて存在する。ねじ部５０は、その長さ全体にわたり略均一にねじが付けられている。テーパー移行部５５は、ねじ部５０と滑らかな円筒状軸部４５とを滑らかに結合する。
【００３３】
図５および図６は、整列した穴１２５、１３０を有する加工物１０５、１１０を示す。加工物１０５、１１０を固定するため、締結具構体１０は整列した穴１２５、１３０を通って延在する。加工物１１５の外面は、スリーブの拡大されたヘッドを支持する。図６に示す実施例に描かれるように、外側加工物１０５の開口は、拡大スリーブ部材２０の拡大フランジ８５を支持できるように形成されており、皿穴部１２０の外面１１５または放射状部のリードで終わる。
【００３４】
ピン部材１５がスリーブ部材２０に押し込まれ、または引き込まれる前のスリーブ管状部８０の外径は、加工物１０５、１１０に配置された穴の直径よりも小さい。従って、図７に示すように、スリーブの外径と、穴の外径との間には空間がある。拡大前の状態のスリーブ管状部８０の外径と、穴の直径とはスリーブ部材２０の管状部が穴の内部に位置する際に滑らかな嵌合をもたらす。
【００３５】
図８に示すように、取り付け中、ピン軸部がスリーブ部材２０に挿し込まれるようにしてピン部材１５がスリーブを通って押し込まれ、または引き込まれるにつれ、スリーブは、加工物１０５、１１０を通る穴１２５、１３０の壁との所望の締まりばめまで半径方向に拡大する。この様にすると、スリーブ部材２０は隙間有り穴の表面をピン軸部から遮蔽することとなり、これにより、ピンがスリーブ部材２０に押し込まれ、または引きこまれる際の、複数の加工物の層間剥離を無くす。
【００３６】
テーパー移行部５５は、ピン部材１５のスリーブ部材２０への取り付けにより生じる高い干渉状態に起因して要求される取り付け力を最小化するように設計され、そして最適化されている。移行部５５は、取り付けに必要な力を減らす、浅い引き込み角を有する。干渉状態で締結具１０を挿し込むために必要とされる力が小さいから、スリーブの伸びおよび早期のスリーブ破壊の減少と同時に、非常に長いグリップ長さの締結具１０を可能にする。
【００３７】
一実施例において、移行部５５はテーパー状にしても良く、滑らかな軸部からねじ部へ半径方向に直径が減少するよう、ピン軸からの角度を２０度以下にしても良い。図示した実施例において、移行部５５はテーパー状で、その直径は均一なつくりで減少する。しかしながら、移行部は、ピン軸の直径が減少する、同じ長さのどの形状にもなれる。例えば、移行部は、凸曲面、凹曲面、もしくはＳ字状曲面、または滑らかな軸部とねじ部との間の直径の減少を可能にする構造のような、穏やかに直径が減少する形状にし得る。これらの実施例において、移行部５５は、０．２５４〜７．３７ｍｍ（０．０１０〜０．２９０インチ）の長さにわたり、ピン軸の半径が０．１０２〜約０．１２７ｍｍ（０．００４〜０．００５インチ）の間で減少する。一実施例において、締結具が挿し込まれると、スリーブ２０は約０．０７６２ｍｍ（０．００３インチ）と０．３０５ｍｍ（０．０１２インチ）との間で半径方向に広がる。一実施例において、加工物１０５、１１０と締結具１０との干渉は、約０．０１２７〜０．２５４ｍｍ（０．０００５〜０．０１００インチ）である。
【００３８】
開示された締結具１０の締結具干渉の結果、加工物と締結具１０との間の隙間は取り除かれる。従って、構成部材間の良好な電気伝導がもたらされる。電気火花発生の可能性は減少し、締結具１０の航空宇宙用への使用をより安全なものとする。
【００３９】
一実施例において、スリーブ２０の外面および／または穴１２５、１３０の内面は、粗くまたは粗雑である。これらの二つの領域に粗い表面を備えることにより、スリーブ部材２０の外面９５と、穴１２５、１３０の内面１３５との間の摩擦係数が増加する。スリーブ２０の管状部８０の半径方向への拡大をもたらすように、基本的に、摩擦係数および／またはピン１５をスリーブ部材２０に押し込み、または引き抜く力は、スリーブ外面９５と穴の内面１３５との間の摩擦係数および／または負荷より低くならなければならない。摩擦係数の差（ｄｉｆｆｅｒｅｎｔｉａｌ  ｃｏｅｆｆｉｃｉｅｎｔ  ｏｆ  ｆｒｉｃｔｉｏｎ）がなければ、挿し込むことなくスリーブ２０は穴に引き込まれ得る。
【００４０】
一実施例において、粗い、スリーブの外面および／または穴の内面は、スリーブ部材２０の内面９０の潤滑剤と相まって、取り付け中のスリーブ２０の過度の伸びを防止する。スリーブの外面９５と、穴の内面１３５との間の摩擦係数は、スリーブの内面とピン部材の滑らかな円筒状軸との間の摩擦係数より大きい。その結果、スリーブ２０は干渉位置まで半径方向に拡大し、そしてスリーブ２０の伸びは減少する。
【００４１】
一適用例において、摩擦係数の違いは、スリーブ部材２０の伸びを１．２７ｍｍ（０．０５０インチ）以下まで減らすことを可能にする。加えて、スリーブ２０の表面の特性はジョイント内および締結具上のシーリング材の使用を可能にする。
【００４２】
一実施例において、締結具１０を０．２５４ｍｍ（０．０１０インチ）の干渉状態となるように挿し込むのに必要な取り付け力を最小化する、ピン部材１５の最適化された角度の移行部形状５５が設計されている。設計された形状は、従来の丸い（bull-nose)移行部形状と同様のピン部材１５の挿入に平行な力の代わりに、ピンを挿入する際に、角度のある移行部５５に直角に力が加わるのを可能にする。これにより、ピン部材１５の取り付けに低い力が必要とされる。低い力が必要とされる結果、締結具１０は、金属、複合材料、金属／複合材料構造を含む非常に多様な加工物に差し込める。
【００４３】
ピン部材１５のテーパー状の移行部５５の移行形状も、過度のスリーブの伸びおよび／または早期のスリーブ破壊のない非常に長いグリップ長さを機能的に可能にするので、重要である。
【００４４】
加工物を十分に一体に固定するために、取り付け手段が用いられる。取り付け手段は、図３に示すねじナット部材２５０か、または図８に示すカラー部材２００とし得る。加工物を一体に固定するために、別の取り付け手段も用いることができる。
【００４５】
図８に示すように、対称的な形状の一実施例において、事前に選択された材料の管状カラー２００が挿し込まれたピンおよびスリーブ構体１２を覆って設置されている。加工物１０５、１１０が一体に固定されるように、カラーはピン部材１５のねじ部に対して半径方向に整列される。カラー２００は、ピン軸とボアを通るカラーとを覆って位置するように合わせた座ぐり部２１５を有し、貫通孔の内径は、ピン１５の引き溝７５およびねじ部５０に対して隙間を生じるように選択される。カラー形状は、体積バランスがとられている。所望の締め付け荷重をもたらすようにねじ部５０をすえ込みするために、カラー２００の肉厚（壁厚）は均一で対称的な形状である。
【００４６】
図３に示すように、締結具１０の他の実施例では加工物を一体に固定するためにナット部材２５０を用いる。ナット部材２５０は、ピン部材のねじ部５０と螺合するためのねじ部２５５を備える。
【００４７】
カラー部材２００またはナット部材２５０は、カラー２００またはナット２５０がスリーブ構成部材を通るのを可能にする、座ぐり部２１５を一端に有する。従って、座ぐり部２１５はスリーブ２０の外径より大きい直径を有する。その結果、挿し込まれた締結具１０は、低減された高さおよび重量を有する。これは、締結具１０を、従来の締結具よりコスト効果の高い解決手段にする。
【００４８】
カラー２００またはナット部材２５０も、拡大フランジ２２０を一端に備える。複数個の加工物の外面１４０とかみ合うフランジ２２０は、加工物１０５、１１０の外面１４０への取り付けおよび締め付け荷重を分配するために、事前に定められたかみ合い領域が設けられる。加工物１０５、１１０が少なくとも一つの複合材料を有する場合、フランジ２２０のかみ合い領域は、加工物１０５、１１０の外面での複合材料の局所的な層間剥離または圧壊に耐えるのに十分なように選択される。
【００４９】
図９に示すように、締結具１０のカラー部材は、ピン部材１５のねじ部にすえ込みされる。特定の実施例において、最適化されたカラー形状は、ねじ部５０へのカラーのすえ込みを可能にするために、既存のねじ山および結束工具と釣り合いを取るようにする。カラー２００は、カラー材料の調整および締め付け荷重／予荷重を一貫した高さに維持しながらねじ部５０の約４０〜６０％の深さまですえ込みされ得る。
【００５０】
一貫した締結具１０の高い締め付けは、ダイナミックジョイント性能および航空機構造の製品寿命を著しく増加する。特定の実施形態において、高い締め付け荷重／予荷重は、挿し込まれた締結具の最低引っ張り強度の約５０〜９６％を平均化する。更に、一実施例において、高い締め付け／予荷重は最低引っ張り強度の約７８％を平均化する。代表的な締結具では、高い締め付け／予荷重は最低引っ張り強度の約５０％を平均化する。
【００５１】
加えて、調整されたピン部材１５のねじ部５０の部分的な充填は、著しく、なお一層の挿し込み中のシーリング材の流出を可能にする。締結具１０の機械的性能は、このシーリング材流出では減少しない。
【００５２】
カラー２００による、制御され、すえ込みされた充填も、従来技術にかかる締結具と比較して改善された点である。主な適用例には、ピン部材、およびカラーまたはナットの内部および外部ねじの間の固有の隙間がある。加えて、締結具１０の不圧側、およびカラーまたはナットの座ぐりは、構成部材間に隙間を有する。ここで開示される締結具１０は、ピン１５のねじ部５０の両側での全面的接触を作り出す。従って、締結具は良好な伝導性を有し、そして燃料気密の改善に加えて航空宇宙条件の安全な締結具をもたらす。
【００５３】
カラー２００がすえ込みされる場合、カラーはスリーブ部材２０の端部全体にすえ込みされる。その結果、スリーブ部材２０は、ピン１５の移行角部５５を覆って圧縮される。従って、必要であれば、スリーブ２０およびピン１５は単一ユニットのように取り除かれる。これは、様々な適用例で、挿し込まれた締結具１０の効率および加工性を改善すると同時に、伝導性も改善する。
【００５４】
図９に、挿し込まれた締結具１０の一実施例を示す。事前に定められた長さの軸を有するピンを備える締結具１０は、複数個の、最小から最大総厚まで総厚が変わる、グリップを有する加工物１０５、１１０を固定するために選択され得る。グリップ長さの全体を包み込むスリーブを有することが望ましいので、スリーブは、複数個の加工物１０５、１１０の最大総幅以下とならないように事前に定められる。
【００５５】
本開示の特定の適用例において、約３．４５ｍｍ（０．１３６インチ）の機能的グリップ性能により１１０％の最低機械性能が達成された。標準的な締結具は、約１．５７ｍｍ（０．０６２インチ）の機能的グリップ性能しか有さない。長い機能的グリップ性能の変化を有することは、異なる適用例に使用される多くの多様性を持つ締結具１０をもたらす。
【００５６】
図１に示すように、締結具１０を差し込むため、スリーブはピンの上に設置される。そして、引き込み性能のために道具がピン部材１５の引き溝７５をとらえられるような、十分なピン１５のフランジ部の長さが、複数個の加工物１０５、１１０の外面を超えて延在するように、スリーブ２０およびピン１５は加工物１０５、１１０の整列された穴の中に配置される。
【００５７】
ピン部材１５が道具で引かれるにつれ、ピン部材１５の滑らかな円筒状軸部４５はスリーブ部材２０に引き込まれ、スリーブ２０を外側に半径方向に拡大する。この拡大の大きさは、滑らかな円筒状軸ピン部４５とスリーブの内面９０との間、および、スリーブ９５の外面と複数個の加工物１０５、１１０の穴１３５の内面との間の摩擦および要求される力の関数である。
【００５８】
カラー部材２００は、フランジ部２２０が加工物表面１４０に向かって位置するように、ピン部材１５およびスリーブ２０を覆って配置される。この時点で、ピン部材のねじ部５０にカラー部材２００をすえ込みするためにカシメ工具が使用され、その位置に締結具１０を固定する。
【００５９】
他の実施例において、図３に示すように、締結具１０を差し込むためのスリーブがピンの上に配置される。そして、スリーブ２０およびピン１５が、加工物１０５、１１０の整列された穴に設置される。ナット２５０のねじ部がピンのねじ部と螺合することができるよう、ピン１５のねじ部の十分な長さが複数個の加工物１０５、１１０の外面を越えて延在するように、ピン１５はスリーブ２０に押し込まれる。それから、挿し込みを終わらせるために、ナット２５０が挿し込まれ締め付けられる。
【００６０】
従って、複合材料、金属、および金属／複合材料構造の内部で締まりばめをもたらす、独自の締結具１０が開示される。締結具１０は、良好な締結具干渉および高い締め付け荷重の結果として、改善されたダイナミックジョイント性能をもたらす。様々な構成部材の形状は、層間剥離および潜在的な構造の破壊をなくすと同時に、干渉状態を可能にする。干渉は、締結具１０と構造体との間の隙間をなくし、良好な電気伝導性および電気火花発生の可能性の低減をもたらして、締結具１０の安全性を高める。
【００６１】
上述の記載は多くの事項を含むが、これらは開示の範囲の限定を意図したものでなく、むしろその実施例の説明である。締結具およびこの中に使用されているものは、異なった種類または開示された実施例の任意の組み合わせを含む。加えて、上述の記載により、開示の範囲が限定されることは意図していない。特許請求の範囲の様々な構成要素、および特許請求の範囲自身はどの組み合わせとも結合してもよく、本開示の示唆に従い、特許請求の範囲を含む。
【図面の簡単な説明】
【００６２】
【図１】本発明に係る締結具の典型的な一実施例の、拡大された皿頭を有するピン、およびスリーブを示す断面図である。
【図２】本発明に係る締結具の典型的な他の実施例の、拡大された突出頭（ｐｒｏｔｒｕｄｉｎｇ  ｈｅａｄ）を有するピン、およびスリーブを示す断面図である。
【図３】本発明に係る締結具の他の実施例の、長いねじ領域と、つば出しされていない領域と、拡大された皿頭とを有するピン、およびスリーブを示す断面図である。
【図４】本発明に係る締結具の他の実施例の、拡大された突出頭（ｐｒｏｔｒｕｄｉｎｇ  ｈｅａｄ）を有するピン、およびスリーブを示す断面図である。
【図５】加工物を一体に固定する締結具を取り付けるのための整列した穴を有する、複数個の加工物を示す断面図である。
【図６】加工物の一つの外側部が皿穴を有し、加工物を一体に固定する締結具を取り付けるための整列した穴を有する、複数個の加工物を示す断面図である。
【図７】ピンがスリーブを通って押され、または引かれる前の、スリーブが膨張しておらず、また所望の締まりばめまで引き伸ばされていない典型的な締結具を示す断面図である。
【図８】ピンが所定の位置にスリーブを通って押され、または引かれた後の典型的な締結具を、すえ込み前のピンに配置されたカラーとともに示す断面図である。
【図９】ピンの尾部を分離する前の、締結具を固定するためにピンのねじ部にすえ込みされたカラーを有する締結具を示す断面図である。
【図１０】ピンの尾部を分離した後の、かみ合い、挿し込まれている部分の中の締結具を示す断面図である。
【符号の説明】
【００６３】
１０  締結具
１２  スリーブ構体
１５  ピン
２０  スリーブ
３０  一端
３５  突出頭
３７  皿頭
４０  軸部
４５  円筒状部
５０  ねじ部
５５  移行部
６０  折れやすい部分
６５  溝
７０  ランド
７５  溝
８０  管状部
８５  フランジ
９０  表面
９５  外面
１０５  加工物
１１０  加工物
１１５  外面
１２０  皿穴部
１２５  穴
１３０  穴
１３５  内面
１４０  外面
２００  カラー
２１５  座ぐり部
２２０  フランジ
２５０  ナット
２５５  ねじ部
【図１】
2008075876.tif 000003
【図２】
2008075876.tif 000004
【図３】
2008075876.tif 000005
【図４】
2008075876.tif 000006
【図５】
2008075876.tif 000007
【図６】
2008075876.tif 000008
【図７】
2008075876.tif 000009
【図８】
2008075876.tif 000010
【図９】
2008075876.tif 000011
【図１０】
2008075876.tif 000012
【外国語明細書】
2008075876000001.pdf